(57)【特許請求の範囲】
【請求項１】
着用者の腹側を覆う前部と、着用者の背側を覆う後部と、前記前部と前記後部との間に跨がる吸収体とを有し、前記前部と前記後部とを互いに接合することで胴開口部および２つの脚開口部が形成される着用物品であって、
前記前部および前記後部は、それぞれ、胴回り方向に延び前記胴開口部を定義する第１縁と、前記第１縁に対向する第２縁と、前記胴回り方向の一方の端に位置する第３縁と、前記胴回り方向の他方の端に位置する第４縁とを有し、
前記前部の第３縁と前記後部の第３縁とが互いに接合されており、かつ、前記前部の第４縁と前記後部の第４縁とが互いに接合されており、
前記前部の一部を着用後に破断するために加工された２つの破断部が前記前部の胴回り方向に互いに離れて設けられていると共に、該２つの破断部は前記前部の第１縁から第２縁に渡って前記前部を横断するように設けられており、
前記前部における前記２つの破断部の間の第１領域内に、前記吸収体の少なくとも一部が固定されており、
前記前部の前記第１領域の肌面側に、前記前部に止着することが可能な第１止着部が設けられており、
前記前部の第１縁、第２縁、第３縁および一方の破断部に囲まれた第２領域と、前記前部の第１縁、第２縁、第４縁および他方の破断部に囲まれた第３領域のうちの少なくとも１つの領域に前記前部に止着することが可能な第２止着部が設けられている着用物品。
【請求項２】
請求項１において、前記破断部において前記前部を破断した後に、前記第２領域を前記第３領域に重ね合わせて重ね部を形成し、前記第２止着部により前記第２領域と前記第３領域とを互いに止着して前記重ね部において第２領域および第３領域を連結し、前記重ね部を前記第１領域が覆うように前記第１止着部により前記第１領域を前記第２および／または第３領域に止着することで、パンツ型着用物品が構成されることが可能である、着用物品。
【請求項３】
請求項１において、前記前部または前記後部の前記第１縁と前記前部または前記後部の前記第２縁のうちの少なくとも一方に沿って弾性部材が配置されている、着用物品。
【請求項４】
請求項１に記載の着用物品を製造する方法であって：
前記前部となる第１シート状物および前記後部となる第２シート状物を互いに平行に、かつ、連続的に搬送する工程；
連続して流れる前記第１シート状物に、前記第１および第２止着部を１つの着用物品を形成する範囲ごとに付設する工程；
前記前部を前記吸収体の両サイドにおいて前記胴回り方向に分断できるようにするために、前記シート状物の流れ方向に交差する方向に沿って前記前部を横断するように前記吸収体の両サイドとなる位置に前記２つの破断部を形成する工程、ここにおいて、前記２つの破断部のうち１つの破断部が前記第１シート状物における前記第１止着部と前記第２止着部の間に形成され；
前記第１シート状物と前記第２シート状物との間に跨がるように、前記吸収体を配置する工程；
前記第１シート状物と前記第２シート状物とが互いに重なるように、前記吸収体を折る工程；
前記第１シート状物および前記第２シート状物における前記第３縁となる部位同士を隣り合う前記吸収体の間において接合し、前記第１シート状物および前記第２シート状物における前記第４縁となる部位同士を隣り合う前記吸収体の間において接合する工程；そして、
前記第１および第２シート状物を各着用物品ごとに切断する工程；
を包含する着用物品の製造方法。
【請求項５】
請求項４において、前記吸収体を配置する工程の後に、前記第１シート状物および／または第２シート状物における前記脚開口部を構成する部分をトリムする工程を更に備えた着用物品の製造方法。
【請求項６】
請求項１に記載の着用物品を製造する方法であって：
連続して流れるシート状物における前記前部となる部位に、前記第１および第２止着部を、１つの着用物品を形成する範囲ごとに付設する工程；
前記前部を前記吸収体の両サイドにおいて前記胴回り方向に分断できるようにするために、前記シート状物の流れ方向に交差する方向に沿って前記前部を横断するように前記吸収体の両サイドとなる位置に前記２つの破断部を形成する工程、ここにおいて、前記２つの破断部のうち１つの破断部が前記シート状物における前記第１止着部と前記第２止着部の間に形成され；
前記シート状物に、前記吸収体を配置する工程；
隣り合う前記吸収体の間に、前記脚開口部を形成する工程；
前記吸収体において折り返し部ができるように前記シート状物を折って前記前部となる部位と前記後部となる部位とを重ねる工程；
前記シート状物における前記前部および後部の前記第３縁となる部位同士を隣り合う前記吸収体の間において接合すると共に、前記シート状物における前記前部および後部の第４縁となる部位同士を隣り合う前記吸収体の間において接合する工程；そして、
前記シート状物を各着用物品ごとに切断する工程；
を包含する着用物品の製造方法。
【請求項７】
着用者の腹側を覆う前部と、着用者の背側を覆う後部と、前記前部と前記後部との間に跨がる吸収体とを有し、前記前部と前記後部とを互いに接合することで胴開口部および２つの脚開口部が形成される着用物品の製造方法であって：
前記前部となる第１シート状物および前記後部となる第２シート状物を互いに平行に、かつ、連続的に搬送する工程；
連続して流れる前記第１シート状物に、第１および第２止着部を、１つの着用物品を形成する範囲ごとに付設する工程；
前記第１シート状物と前記第２シート状物との間に跨がるように、前記吸収体を配置する工程；
前記前部を前記吸収体の両サイドにおいて胴回り方向に分断できるようにするために、前記シート状物の流れ方向に交差する方向に沿って前記前部を横断するように前記吸収体の両サイドとなる位置に２つの破断部を形成する工程、ここにおいて、前記２つの破断部のうち１つの破断部が前記第１シート状物における前記第１止着部と前記第２止着部の間に形成され；
前記第１シート状物と前記第２シート状物とが互いに重なるように、前記吸収体を折る工程；
前記第１シート状物と前記第２シート状物とを隣り合う前記吸収体の間において接合する工程；そして、
前記第１および第２シート状物を各着用物品ごとに切断する工程；
を包含する着用物品の製造方法。
【請求項８】
請求項７において、前記吸収体を配置する工程の後に、前記第１シート状物および／または第２シート状物における前記脚開口部を構成する部分をトリムする工程を更に備えた着用物品の製造方法。
【請求項９】
着用者の腹側を覆う前部と、着用者の背側を覆う後部と、前記前部と前記後部との間に跨がる吸収体とを有し、前記前部と前記後部とを互いに接合することで胴開口部および２つの脚開口部が形成される着用物品の製造方法であって：
連続して流れるシート状物における前記前部となる部位に、第１および第２止着部を、１つの着用物品を形成する範囲ごとに付設する工程；
前記前部を前記吸収体の両サイドにおいて胴回り方向に分断できるようにするために、前記シート状物の流れ方向に交差する方向に沿って前記前部を横断するように前記吸収体の両サイドとなる位置に２つの破断部を形成する工程、ここにおいて、前記２つの破断部のうち１つの破断部が前記シート状物における前記第１止着部と前記第２止着部の間に形成され；
前記シート状物に、前記吸収体を配置する工程；
隣り合う前記吸収体の間に、前記脚開口部を形成する工程；
前記吸収体において折り返し部ができるように前記シート状物を折って前記前部となる部位と前記後部となる部位とを重ねる工程；
前記シート状物における前記前部および後部となる部位同士を隣り合う前記吸収体の間において接合する工程；そして、
前記シート状物を各着用物品ごとに切断する工程；
を包含する着用物品の製造方法。
【発明の詳細な説明】
【技術分野】
【０００１】
本発明は、着用物品およびその製造方法に関する。
【背景技術】
【０００２】
従来より、着用中に排泄の確認を行った後などに、再装着を可能としたオムツが提案されている。
【特許文献１】実開平５−６３５３０号公報（要約書）
【特許文献２】実開平６−１５６２２号公報（要約書）
【特許文献３】特開平７−１１６１９２号公報（要約書）
【特許文献４】特表２００３−５２７１５３号公報（要約書）（ＷＯ０１／０１３８４６）
【特許文献５】特表２００３−５２９３９９号公報（要約書）（ＷＯ０１／０１３８５０）
【特許文献６】特表２００３−５３０９０４号公報（要約書）（ＷＯ０１／０１３８４５）
【０００３】
たとえば、前記特許文献１〜３には、装着時の利便性を改善することを目的として、腰回り部分を着用者のウエスト周囲に巻き付けた後、吸収体部分の端部を前記腰回り部分に止着して着用するベルトタイプのオムツが開示されている。その製造方法について、特許文献３には、止着部材の付設方法についての改良が開示されている。しかし、この先行技術に開示された構造や方法では高速で安定してオムツを製造することは困難である。【０００４】
一方、前記特許文献４〜６には、再装着を目的として、オムツ本体とは別の部材から構成されている腰回り部分がファスナによりオムツ本体に取り外し可能に接合されているオムツが開示されている。しかし、特許文献４〜６には、その製造方法については記載されていない。
【発明の開示】
【０００５】
本発明の目的は、パンツ型の着用物品のように高速で安定して製造でき、かつ、ベルトタイプのオムツのように再装着が容易な着用物品およびその製造方法を提供することである。
【０００６】
本発明にかかるある着用物品は、着用者の腹側を覆う前部と、着用者の背側を覆う後部と、前記前部と前記後部との間に跨がる吸収体とを有し、前記前部と前記後部とを互いに接合することで胴開口部および２つの脚開口部が形成される着用物品であって、前記前部および前記後部は、それぞれ、胴回り方向に延び前記胴開口部を定義する第１縁と、前記第１縁に対向（opposite）する第２縁と、前記胴回り方向の一方の端に位置する第３縁と、前記胴回り方向の他方の端に位置する第４縁とを有し、前記前部の第３縁と前記後部の第３縁とが互いに接合されており、かつ、前記前部の第４縁と前記後部の第４縁とが互いに接合されており、前記前部の一部を着用後に破断するために加工された２つの破断部が前記前部の胴回り方向に互いに離れて設けられていると共に、該２つの破断部は前記前部の第１縁から第２縁に渡って前記前部を本質的に横断するように設けられており、前記前部における前記２つの破断部の間の第１領域内に、前記吸収体の少なくとも一部が固定されており、前記前部の前記第１領域の肌面側に、前記前部に止着（secure）することが可能な第１止着部が設けられており、前記前部の第１縁、第２縁、第３縁および一方の破断部に囲まれた第２領域と、前記前部の第１縁、第２縁、第４縁および他方の破断部に囲まれた第３領域のうちの少なくとも１つの領域に前記前部に止着することが可能な第２止着部が設けられている。
【０００７】
本着用物品は、通常時においては、前部と後部の第３縁同士が互いに接合され、かつ、前部と後部の第４縁同士が互いに接合されたパンツ型着用物品として着用されることができる。
本着用物品の着用中に、緊急の事態が発生したり、あるいは、排泄の確認をしたい場合には、着用者または介助者（以下、「ユーザ」という。）は、前記２つの破断部において前部を破って前部を分断する。その後、前記ユーザは、前記第２領域と第３領域とを重ね合わせて重ね部を形成し、前記第２止着部により前記第２および第３領域を連結し、該重ね部を前記第１領域が覆うように、前記第２および／または第３領域に前記第１止着部を介して第１領域を止着することで、再装着することが可能である。したがって、本着用物品は、新しい別の着用物品に履き替えるまでの間、再装着された着用物品として着用されことができる。
【０００８】
更に、本着用物品は、いわゆるベルトタイプのオムツとして用いることもできる。この場合、着用前に、２つの破断部において前部が破られる。この破断により、前部の第２領域および第３領域が後部に連なって長いベルト状の胴部が生成される。この後、前記再着用と同様にして着用する。
【０００９】
こうしたベルトタイプのオムツとして本着用物品を使用すると、立位状態において、着用者自身が前記着用物品を容易に装着することができる。
【００１０】
ここで、従来のベルトタイプのオムツは、胴部が長いので、その製造において高速化を図れないなどの不都合がある。これに対し、本着用物品は、前部と後部が概ね同じ長さのパンツ型のオムツとして製造された後、ベルトタイプのオムツとして使用される。したがって、パンツ型のオムツと同様、製造の高速化を図ることが可能である。
【００１１】
本着用物品において、「破断部」としては、たとえば、ミシン目が形成された部分や、前部を表裏にわたって貫通する複数の貫通孔が形成された部分や、加熱することにより素材を脆くして前部を２つに分断できるように加工された部分などが挙げられる。
また、「破断部が、前記前部の第１縁から第２縁に渡って、前記前部を本質的に横断する」とは、破断部において人の手で引き裂くことの可能な程度に、破断部が形成されていれることをいい、たとえば、ミシン目の破断部の場合には第１縁からと第２縁に渡ってミシン目が前部を完全に横断していなくてもよい。
さらに、２つの破断部は、第１縁および／または第２縁に略直交していてもよいし、第１縁および第２縁に対して斜めに、かつ、互いに平行に形成されていてもよいし、あるいは、第１縁および第２縁に対して斜めに、かつ、互いに非平行に形成されていてもよい。また、破断部の形状は直線に限らず、曲線であってもよい。
【００１２】
本発明において、「第２止着部」は、破断部において前部を破断した後に、第２領域と第３領域とを互いに止着し、連結し得るものであればよい。
「第１止着部」は、第２止着部により連結された連結部に、前記第１領域が重なるように、第１領域を第２および／または第３領域に止着し得るものであればよい。
第１止着部および第２止着部は、それぞれ別体の第１止着部材および第２止着部材として設けてもよいし、第１止着部と第２止着部とを一体に設け、破断部において前部と共に分割されることにより、当該一体の止着部材が第１止着部と第２止着部とに分割されるようにしてもよい。
【００１３】
前記着用物品は、たとえば、下記の第１もしくは第２の製造方法によって製造されることができる。
【００１４】
第１の方法は、前記前部となる第１シート状物および前記後部となる第２シート状物を互いに平行に、かつ、連続的に搬送する工程；連続して流れる前記第１シート状物に、前記第１および第２止着部を１つの着用物品を形成する範囲ごとに付設する工程；前記前部を前記吸収体の概ね両サイドにおいて前記胴回り方向に分断できるようにするために、前記シート状物の流れ方向に交差する方向に沿って前記前部を本質的に横断するように前記吸収体の概ね両サイドとなる位置に前記２つの破断部を形成する工程、ここにおいて、前記２つの破断部のうち１つの破断部が前記第１シート状物における前記第１止着部と前記第２止着部の間に形成され；前記第１シート状物と前記第２シート状物との間に跨がるように、前記吸収体を配置する工程；前記第１シート状物と前記第２シート状物とが互いに重なるように、前記吸収体を折る工程；前記第１シート状物および第２シート状物における前記第３縁となる部位同士を隣り合う前記吸収体の間において接合し、前記第１シート状物および第２シート状物における前記第４縁となる部位同士を隣り合う前記吸収体の間において接合する工程；そして、前記第１および第２シート状物を各着用物品ごとに切断する工程；を包含する。
【００１５】
一方、第２の方法は、連続して流れるシート状物における前記前部となる部位に、前記第１および第２止着部を、１つの着用物品を形成する範囲ごとに付設する工程；前記前部を前記吸収体の概ね両サイドにおいて前記胴回り方向に分断できるようにするために、前記シート状物の流れ方向に交差する方向に沿って前記前部を本質的に横断するように前記吸収体の概ね両サイドとなる位置に前記２つの破断部を形成する工程、ここにおいて、前記２つの破断部のうち１つの破断部が前記シート状物における前記第１止着部と前記第２止着部の間に形成され；前記シート状物に、前記吸収体を配置する工程；隣り合う前記吸収体の間に、前記脚開口部を形成する工程；前記吸収体において折り返し部ができるように前記シート状物を折って前記前部となる部位と前記後部となる部位とを重ねる工程；前記シート状物における前記前部および後部の前記第３縁となる部位同士を隣り合う前記吸収体の間において接合すると共に、前記シート状物における前記前部および後部の第４縁となる部位同士を隣り合う前記吸収体の間において接合する工程；そして、前記シート状物を各着用物品ごとに切断する工程；を包含する。
【００１６】
前記第１および第２の方法において、前記破断部を形成する工程は、前記前部を前記吸収体の一方のサイドにおいて胴回り方向に分断できるようにするために前記シート状物の流れ方向に交差する方向に前記前部を本質的に横断するように前記吸収体の一方のサイドとなる位置に１つの破断部を形成すると共に；前記前部を前記吸収体の他方のサイドにおいて胴回り方向に分断できるようにするために前記シート状物の流れ方向に交差する方向に前記前部を本質的に横断するように前記吸収体の他方のサイドの、かつ、前記シート状物における第１および第２止着部の間の位置に、別の１つの破断部を形成することで実行されてもよい。
また、シート状物の第３縁同士を接合し、第４縁同士を接合する工程と、シート状物を切断する工程とは、たとえば、同時に行われてもよい。
【図面の簡単な説明】
【００１７】
【図１】図１は本発明の実施例にかかる初期状態の着用物品を示す概略斜視図である。
【図２】図２（ａ）は同着用物品を展開した状態を示す平面図、図２（ｂ）および図２（ｃ）は同断面図である。
【図３】図３は破断後の着用物品を展開した状態を示す平面図である。
【図４】図４（ａ），図４（ｂ），図４（ｃ）および図４（ｄ）は破断後の着用物品を再構成する方法を示す組み立て工程図である。
【図５】図５は再構成後の着用物品を示す概略斜視図である。
【図６】図６（ａ）および図６（ｂ）は着用物品の製造方法を示す工程図である。
【図７】図７（ａ）および図７（ｂ）は脚回り弾性部材の配置工程を示す工程図である。
【図８】図８（ａ）および図８（ｂ）は製造方法の他の例を示す工程図である。
【図９】破断後の着用物品の他の例を展開した状態を示す平面図である。
【符号の説明】
【００１８】
１Ｆ：前部
１Ｂ：後部
２：吸収体
１０Ａ：第１破断部
１０Ｂ：第２破断部
１１：第１止着部材
１２：第２止着部材
１５：ウエスト用弾性部材
１６：脚回り弾性部材
Ａ１：第１領域
Ａ２：第２領域
Ａ３：第３領域
ＢＨ：胴開口部
ＬＨ：脚開口部
Ｃ１：第１縁
Ｃ２：第２縁
Ｃ３：第３縁
Ｃ４：第４縁
Ｓ：シート状物
Ｓ１：第１シート状物
Ｓ２：第２シート状物
【発明を実施するための最良の形態】
【００１９】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみに基づいて定められる。添付図面において、複数の図面における同一の部品番号は、同一または相当部分を示す。【００２０】
第１実施例：
以下、本発明の実施例が図面を参照して説明される。
図１に示すように、本発明のある着用物品は、たとえば、パンツ型に形成された着用物品（たとえば、オムツ）である。この着用物品は、図１に示す初期状態から、図５に示すベルトタイプの着用物品に再構成されることが可能である。【００２１】
初期状態：
まず、初期状態の本着用物品が説明される。
図１に示すように、本着用物品は初期状態において、パンツ型着用物品として用いられることができる。本着用物品は、前部１Ｆおよび後部１Ｂと、着用者の股間を覆う吸収体２とを備えている。前記前部１Ｆおよび後部１Ｂは、着用者のウエストにフィットして、それぞれ、着用者の前胴回り域および後ろ胴回り域を覆う。前部１Ｆと後部１Ｂは互いに接合されて、胴開口部ＢＨを定義する。前記前部１Ｆと後部１Ｂと吸収体２との間には、２つの脚開口部ＬＨが形成されている。
着用者は、胴開口部ＢＨから脚開口部ＬＨに脚を通して着用物品を履くことにより、本着用物品をパンツ型着用物品として装着することが可能である。【００２２】
図２は、前記初期状態の着用物品を展開した状態を示す図である。
図２（ａ）の前記吸収体２は、その両端部２１，２２が、それぞれ前部１Ｆおよび後部１Ｂに跨がって配置されている。したがって、この着用物品は略「Ｈ」字状である。前部１Ｆまたは後部１Ｂと吸収体２とは、互いに概ね直交するように接合されている。【００２３】
前部１Ｆおよび後部１Ｂは、それぞれ、第１ないし第４縁Ｃ１〜Ｃ４を有する。第１縁Ｃ１は胴開口部ＢＨを形成する。第２縁Ｃ２は前記第１縁Ｃ１に対向している。第３縁Ｃ３は前部１Ｆの胴回り方向の一方の端部に位置し、第４縁Ｃ４は前部１Ｆ胴回り方向の他方の端部に位置する。すなわち、第１縁Ｃ１は前部１Ｆの上縁であり、第２縁Ｃ２は前部１Ｆの下縁であり、第３縁Ｃ３および第４縁Ｃ４は前部１Ｆの２つの側縁である。第３縁Ｃ３および第４縁Ｃ４は上下方向に沿って延びるように形成されている。
図１に示すように、前部１Ｆの第３縁Ｃ３と後部１Ｂの第３縁Ｃ３とが互いに接合されている。前部１Ｆの第４縁Ｃ４と後部１Ｂの第４縁Ｃ４とは互いに接合されている。これらの接合により本着用物品はパンツ型に形成されている。前記第２縁Ｃ２は、前記脚開口部ＬＨの一部を形成する。【００２４】
つぎに、本着用物品の構成要素が説明される。
前部１Ｆ：
図２（ｃ）に示すように、前部１Ｆは、着用時に腹部側にフィットする部分であり、少なくとも１枚の不織布を備えている。
図２（ａ）に示す前部１Ｆには、前部１Ｆを破断するために加工された第１および第２破断部１０Ａ，１０Ｂが設けられている。前記各破断部１０Ａ，１０Ｂは、第１縁Ｃ１から第２縁Ｃ２に向って前部１Ｆを長手方向Ｙに本質的に横断するように設けられている。前記２つの破断部１０Ａ，１０Ｂは互いに離れて形成されている。【００２５】
破断部１０Ａ，１０Ｂとしては、たとえば、ミシン目が挙げられる。破断部１０Ａ，１０Ｂは、前部１Ｆを２つに分断することができるように加工されていればよい。破断部１０Ａ，１０Ｂは、前部１Ｆと吸収体２との重なり部分以外の位置に設けられるのが好ましい。図２（ａ）では、破断部１０Ａ，１０Ｂが吸収体２の両サイドにおける吸収体２に重ならない位置に設けられている。【００２６】
第１領域Ａ１；
前部１Ｆの第１縁Ｃ１と、第２縁Ｃ２と、２つの破断部１０Ａ，１０Ｂとで囲まれた領域は第１領域Ａ１と定義される。すなわち、前記第１領域Ａ１は、前部１Ｆにおける２つの破断部１０Ａ，１０Ｂの間の領域である。
第１領域Ａ１の少なくとも一部には、吸収体２の一部が固定されている。第１領域Ａ１と吸収体２とが重なっている部分においては、第１領域Ａ１と吸収体２とが全面にわたって接合されていてもよい。吸収体２は、着用者の肌面側（図２（ｂ））Ｉｓに固定されていることが好ましい。前部１Ｆが複数枚の不織布で構成されている場合、吸収体２は少なくとも２枚の不織布の間に挟まれて固定されていてもよい。【００２７】
第１止着部材１１；
第１領域Ａ１の長手方向Ｘの両端部には、それぞれ、一対の第１止着部材（第１止着部の一例）１１が設けられている。第１止着部材１１としては、たとえば、粘着テープ、メカニカルファスナ（面ファスナ）のオス部（鉤状の突起を有する面）等、前部１Ｆまたは後部１Ｂの露出する面に着脱可能に係止できる材料を用いることができる。【００２８】
第１止着部材１１は、前部１Ｆの肌面側Ｉｓに設けられている。該第１止着部材１１は不織布等で覆われているのが、肌触りが柔らかくなるので、好ましい。かかる第１止着部材１１による止着を行う場合には、前記不織布等を剥がして前記止着部材１１が露出させちれる。
第１止着部材１１は、必ずしも第１領域Ａ１の両端部に設けられる必要はなく、第１領域Ａ１の中央部付近に設けられてもよい。第１止着部材１１は、必ずしも２箇所以上設ける必要はなく、１箇所のみに設けられてもよい。【００２９】
図２（ｂ）に示すように、第１止着部材１１は、前部１Ｆと吸収体２とが重なっていない部分に取り付けられるのが好ましい。一方、吸収体２が少なくとも２枚の不織布に挟まれて固定されている場合には、吸収体２と重なっている部分に第１止着部材１１が取り付けられていていもよい。
前部１Ｆの肌面側Ｉｓに第１止着部材１１を設けることにより、後述するように、再構成の際に、本着用物品はベルトタイプのように用いられることが可能である。【００３０】
第２および第３領域Ａ２，Ａ３；
前部１Ｆの第１縁Ｃ１と第２縁Ｃ２と第３縁Ｃ３とおよび該第３縁Ｃ３に最も近い第１の破断部１０Ａとに囲まれた領域は、第２領域Ａ２と定義される。
前部１Ｆの第１縁Ｃ１と第２縁Ｃ２と第４縁Ｃ４と該第４縁Ｃ４に最も近い第２の破断部１０Ｂとに囲まれた領域は、第３領域Ａ３と定義される。【００３１】
第２止着部材１２；
第３領域Ａ３内には、肌面側Ｉｓに第２止着部材（第２止着部の一例）１２が設けられている。第２止着部材１２は、たとえば、第３領域Ａ３における第２破断部１０Ｂの近傍に設けられている。
第２止着部材１２としては、第１止着部材１１と同様な素材が用いられることができる。第２止着部材１２は、第１止着部材１１と同種の素材で構成されてもよいし、第１止着部材１１と異なる種類の素材で構成されてもよい。【００３２】
なお、第２止着部材１２は、第２領域Ａ２に設けられてもよいし、第２領域Ａ２および第３領域Ａ３の両方に設けられてもよい。第２止着部材１２は肌面と接しない露出面（肌面側Ｉｓと反対側の面）に設けられてもよい。【００３３】
第１止着部材１１と第２止着部材１２とが一体に設けられてもよい。すなわち、第１および第２止着部材１１，１２を形成する１つの止着部材が破断部１０Ｂにおいて前部１Ｆのシート状物と共に分割されることにより、第１止着部材１１と第２止着部材１２とに分割されるようにしてもよい。【００３４】
また、前部１Ｆおよび／または後部１Ｂの第１縁Ｃ１側の端部に、それぞれ、ウエスト（胴回り）用弾性部材１５が設けられてもよい。
ウエスト用弾性部材１５は、吸収体２の幅（長手方向Ｘの長さ）に対応する部分に伸縮性を有するように設置されてもよい。張力を必要としない部分の弾性部材は、たとえば、エンボス加工やカッターによって細かく分断されてもよいし、カットされてもよい。ウエストの各部においてウエスト用弾性部材１５の応力を適宜調整することにより、吸収体２のフィット性や胴部の締めつけ度合などが最適に調節されることができる。【００３５】
エンボス加工は、複数の凸部を有するエンボスローラとアンビルローラとで、ウエスト用弾性部材１５の配置された前部１Ｆないし後部１Ｂを挟み込んだ状態で、熱、圧力、又はその両方を当該前部１Ｆないし後部１Ｂに加えることにより施される。
ウエスト用弾性部材１５は、後部１Ｂのみに設けられてもよいし、前部１Ｆのみに設けられてもよい。【００３６】
さらに、着用時に脚回りのフィット性を向上させるために、図２（ａ）の二点鎖線で示すように、前部１Ｆおよび後部１Ｂの脚回りに相当する部分（トリム部分）がトリムされてもよい。かかるトリムにより、着用時における脚回りのフィット性が向上する。【００３７】
後部１Ｂ：
後部１Ｂは、着用時に背側を覆う部分であり、少なくとも１枚の不織布を含む。
後部１Ｂの少なくとも一部には、吸収体２の一部が固定されている。前部１Ｆおよび後部１Ｂの第３縁Ｃ３，Ｃ３同士が互いに接合される。前部１Ｆおよび後部１Ｂの第４縁Ｃ４，Ｃ４同士が互いに接合される。これらの接合により、図１の胴開口部ＢＨおよび脚開口部ＬＨが形成される。前記接合は、たとえば、ヒートシールや、ソニックシール、接着など、周知の方法等を用いて行われてもよい。【００３８】
図２において、後部１Ｂおよび／または前部１Ｆの第２縁Ｃ２に沿って脚回り弾性部材１６が設けられてもよい。脚回り弾性部材１６を設けることは、フィット性を向上させる。臀部にフィットするボディフィット用弾性部材が設けられてもよい。【００３９】
前述のように、前部１Ｆおよび後部１Ｂは、それぞれ独立して構成されるのではなく、図８に示すように、連続した幅広のシート状物Ｓで一体に構成されてもよい。レッグホール部ＬＨを当該シート状物Ｓから打ち抜くことにより、前部１Ｆおよび後部１Ｂが形成されてもよい。【００４０】
吸収体２：
図２（ｂ）に示すように、吸収体２は、肌面側Ｉｓから順に、肌面に接する液透過性シート（トップシート）２４、吸収コア２５および露出する液不透過性シート（バックシート）Ｐを備えている。
吸収体２は、パルプや不織布等から形成され、高分子吸収体を含んでいてもよい。吸収体２を形成するために、当該分野で使用されている材料及び構成を採用することができる。吸収コア２５の形状としては、図２（ａ）に示す砂時計型の他に、たとえば、ひょうたん型や矩形であってもよい。
液不透過性シートＰは、通気性を有していてもよい。良好な肌ざわり、着用感を得るために、液不透過性シートＰがカバーシート２６で被覆されてもよい。【００４１】
吸収体２は、着用者の肌面に接触する一対の立体ギャザー（カフ）２７を有していてもよい。立体ギャザー２７は、該立体ギャザー２７を長手方向Ｙに収縮させるカフ弾性部材２９を備えていてもよい。吸収体２には、長手方向Ｙに沿って弾性体２８が設けられてもよい。【００４２】
破断後：
図３は、図１の初期状態の着用物品を、第１および第２破断部１０Ａ，１０Ｂにおいて破断した後、展開した状態の平面図である。
図３に示すように、後部１Ｂの両方の端には、前部１Ｆから分断された前部１Ｆの第２領域Ａ２および第３領域Ａ３がそれぞれ接続されている。これにより、長いベルト状の胴部Ｂが形成されている。一方、前部１Ｆは第１領域Ａ１のみが残る。以下、かかる破断後の前部１Ｆを「残りの前部Ｆ」と呼ぶ。
図９に示すように、ベルト状の胴部Ｂは端部にいくに従い、幅が狭くなるような形状であってもよい。【００４３】
再構成：                                                                          前記破断した着用物品を再構成する方法が説明される。再構成時に、ユーザは、まず、図４（ａ）に示す前記ベルト状胴部Ｂの一方の端部である第２領域Ａ２を、図４（ｂ）に示すように、手前に折り返すと共に、図４（ｃ）に示すように、他方の端部である第３領域Ａ３を手前に折り返して、第２領域Ａ２の一部（重ね部）と第３領域Ａ３の一部（重ね部１００）とを互いに重ねる。この際、ユーザは、第２止着部材１２により、第２領域Ａ２と第３領域Ａ３とを互いに止着することで両領域Ａ２，Ａ３を連結する。つぎに、ユーザは、図４（ｄ）に示すように、吸収体２を折り返すことで、第１止着部材１１を介して第１領域Ａ１を重ね部１００に重ねる。これにより、第１領域Ａ１がベルト状胴部Ｂの第２および第３領域Ａ２，Ａ３に止着されて、パンツ型のオムツが再構成される。【００４４】
すなわち、前記再構成された着用物品においては、図５に示すように、第２止着部材１２によりベルト状胴部Ｂの両端が接合されて胴開口部ＢＨが形成され、そして、ベルト状胴部Ｂ、残りの前部Ｆおよび吸収体２によって脚開口部ＬＨが形成される。したがって、ユーザは、再構成後の本着用物品をパンツ型着用物品として着用することができる。【００４５】
ベルトタイプの着用物品：
図４（ａ）の破断した着用物品は、ベルトタイプの着用物品として用いられることもできる。
この場合、ユーザは、図４（ａ）〜図４（ｄ）に示す工程を、着用者がベルト状胴部Ｂを腰に巻き付けながら行う。すなわち、ユーザは、第２止着部材１２による連結を行って、図４（ｃ）のベルト状胴部Ｂを着用者のウエストに固定する。つぎに、ユーザは、吸収体２を着用者の股に通した後、図４（ｄ）および図５に示すように、残りの前部Ｆを第１止着部材１１を介してベルト状胴部Ｂの重ね部１００に止着する。【００４６】
このように、ベルトタイプの着用物品として使用した場合、特に、立位姿勢で一人で着用物品を着用する際に至便である。
本着用物品を破断部１０Ａ，１０Ｂにおいて予め破断しておくことにより、本着用物品はベルトタイプの着用物品として用いられてもよい。【００４７】
製造方法：
以下、本着用物品の製造方法が説明される。
図６（ａ）に示すように、前部１Ｆとなる第１シート状物Ｓ１と、後部１Ｂとなる第２シート状物Ｓ２とが互いに平行に、かつ、連続的に搬送される。【００４８】
連続して流れる第１シート状物Ｓ１に、第１および第２止着部材１１，１２が、それぞれ付着される。
その後、第１シート状物Ｓ１における第１止着部材１１と第２止着部材１２との間に破断部１０Ａ，１０Ｂが形成される。破断部１０Ａ，１０Ｂは、流れ方向Ｘに略直交する方向に沿って形成される。破断部１０Ａ，１０Ｂは、たとえば、ミシン目を第１シート状物Ｓ１の流れ方向Ｘに略直交する方向に沿って施すことで形成される。
破断部１０Ａ，１０Ｂの形成後、第１シート状物Ｓ１と第２シート状物Ｓ２の間に跨がるように、吸収体２が配置される。
これらの各工程の順序は変更されてもよい。【００４９】
その後、図６（ｂ）に示すように、第１シート状物Ｓ１と第２シート状物Ｓ２とが重なるように、吸収体２が折り返される。
前記折り返し後、第１シート状物Ｓ１と第２シート状物Ｓ２とが、隣り合う吸収体２の間において接合されると共に切断される。これにより、１つのパンツ型の着用物品が生成される。【００５０】
シート状物Ｓ１，Ｓ２は、たとえば、不織布、フィルム等で構成されることができる。第１シート状物Ｓ１および第２シート状物Ｓ２は、１枚のシートをスリットして間隔を拡げることで形成されてもよいし、別々のシートで構成されてもよい。【００５１】
また、図６（ａ）の止着部材１１，１２は、破断部１０Ａ，１０Ｂに沿うように配置されてもよい。前記止着部材１１，１２は、流れ方向Ｘに沿って第１シート状物Ｓ１の両側または片側に配置されてもよい。しかし、止着部材１１，１２の位置はこれらに限らず、他の場所であってもよい。第１止着部材１１と第２止着部材１２とを一体に１つの部材で形成する場合、第２破断部１０Ｂを形成する工程において、第１止着部材１１と第２止着部材１２との境界に、たとえば、ミシン目等からなる破断部１０Ｂが加工される。【００５２】
第１シート状物Ｓ１に吸収体２を配置した後、吸収体２上に第１止着部材１１が配置されてもよい。かかる場合には、吸収体２と第１シート状物Ｓ１とが重なっている部分に第１止着部材１１が配置されるのが好ましい。【００５３】
前記第１シート状物Ｓ１および／または第２シート状物Ｓ２における前記脚開口部ＬＨを構成する部分をトリムする工程を更に備えていてもよい。このトリムとは、図６（ａ）の二点鎖線で示すトリム部分Ｔを取り除く工程である。かかるトリム部分を取り除くことにより、フィット性が向上する。この工程においては、カットした部分の周辺にシワや折れが発生し易くなり、吸収体２を配置するときに不具合が生じやすくなる。そのため、この工程は、吸収体２の配置の後に行われるのが好ましい。【００５４】
第１シート状物Ｓ１にウエスト用弾性部材１５（図２）を配置する工程が追加されてもよい。このウエスト用弾性部材１５により、製品着用時の前部１Ｆのフィット性が向上する。そのため、漏れ防止の機能が向上する。
第２シート状物Ｓ２にウエスト用弾性部材１５（図２）を配置する工程が追加されてもよい。このウエスト用弾性部材１５により、製品着用時の後部１Ｂのフィット性が向上する。【００５５】
ウエスト用弾性部材１５は、２枚のシート状物で挟まれてもよいし、折り畳んだ１枚のシート状物に挟まれてもよい。【００５６】
ウエスト用弾性部材１５の配置工程を追加する場合、該ウエスト用弾性部材１５の配置工程の後に、吸収体２の幅（長手方向Ｘの長さ）に対応する部分以外の応力を小さくする工程が追加されてもよい。応力を小さくする方法としては、たとえば、エンボス加工などにより、弾性部材１５のみをカットすることによって、弾性部材の伸縮性が発現されないようにする方法がある。この工程は、止着部材１１，１２の配置工程の前に行われるのが好ましい。【００５７】
さらに、第２シート状物Ｓ２および／または第１シート状物Ｓ１に脚回り弾性部材１６（図２）を配置する工程が追加されてもよい。脚回り弾性部材１６は、２枚のシート状物で挟まれるのが好ましい。
この脚回り弾性部材１６により、製品着用時の臀部下部に対するフィット性が向上する。そのため、漏れ防止の機能が向上する。【００５８】
脚回り弾性部材１６は、図７（ａ）に示すように、直線状に配置されてもよいし、図７（ｂ）に示すように、曲線状に配置されてもよい。脚回り弾性部材１６を曲線状に配置する場合には、脚回り弾性部材１６は二点鎖線で示すトリム部分に沿って配置されるのが好ましい。
脚回り弾性部材１６を配置する工程が追加される場合、吸収体２を配置する部分の弾性部材１６の応力を小さくする工程が追加されるのが好ましい。吸収体２が配置され易くなるからである。【００５９】
第２シート状物Ｓ２および／または第１シート状物Ｓ１にボディフィット用弾性部材を配置する工程が追加されてもよい。ボディフィット用弾性部材は、２枚のシート状物で挟まれるのが好ましい。このボディフィット用弾性部材により、製品着用時の後部のフィット性が向上する。この工程を追加する場合、吸収体２を配置する部分の弾性部材の応力を小さくする工程を追加すると、吸収体２が配置され易くなる。【００６０】
吸収体２は、前述のように、液透過性シート２４、吸収コア２５、液不透過性シートＰ、およびカバーシート２６などが積層されてなる。前述の立体ギャザー２７や、弾性体２８、カフ弾性部材２９などを吸収体２に設ける工程が更に追加されてもよい。
吸収体２は、たとえば、縦流れ状態で作成された後、９０°反転されて配置されてもよい。【００６１】
以下、後部１Ｂ、前部１Ｆおよび股部が１枚のシート状物Ｓから形成されている場合の製造方法が簡単に説明される。
図８（ａ）に示すように、連続して流れる幅広のシート状物Ｓにおける前部１Ｆとなる部位に、第１および第２止着部材１１，１２が付着される。
その後、流れ方向Ｘに略直交る方向に沿って第１および第２破断部１０Ａ，１０Ｂが吸収体２の両側となる位置に形成される。２つの破断部１０Ａ，１０Ｂのうち、一方の破断部１０Ｂは、シート状物Ｓにおける第１止着部材１１と第２止着部材１２との間の部位に形成される。破断部１０Ａ，１０Ｂは、前部１Ｆを胴回り方向に分断できるようにするために、流れ方向Ｘに略直交する方向に沿って前部１Ｆとなる部位を本質的に横断するように形成される。【００６２】
２つの破断部１０Ａ，１０Ｂの形成後、シート状物Ｓの２つの破断部１０Ａ，１０Ｂの間の位置に吸収体２が配置される。
吸収体２の配置後、隣り合う吸収体２の間に脚開口部ＬＨを形成するために、シート状物Ｓの一部が切り抜かれる。
これらの各工程の順序は変更されてもよい。【００６３】
前記各工程を行った後、吸収体２において折り返し部ができるように、吸収体２の略中央を境にして、シート状物Ｓが流れ方向Ｘに沿って折り返されて、前部１Ｆとなる部位と後部１Ｂとなる部位とが重ねられる。【００６４】
前記折り返し工程後、隣り合う吸収体２の間の部位が接合されると共に、切断される。すなわち、シート状物Ｓにおける前部１Ｆおよび後部１Ｂとなる部位同士が隣り合う吸収体２，２の間において接合されると共に、シート状物Ｓが各着用物品ごとに切断される。これにより、１つのパンツ型の着用物品が生成される。
前記脚開口部ＬＨを形成する工程は、前記折り返し工程の後に行われてもよい。【００６５】
以上のとおり、図面を参照しながら好適な実施例を説明したが、当業者であれば、本明細書を見て、自明な範囲内で種々の変更および修正を容易に想定するであろう。
たとえば、前記実施例では２個の破断部が設けられている場合が説明されたが、３個以上の破断部が前部に設けられていてもよい。
したがって、そのような変更および修正は、本発明の範囲のものと解釈される。
【産業上の利用可能性】
【００６６】
本発明は、使い捨てパンツやオムツなどの着用物品に利用されることができる。
【図１】
0004672651.tif 000002
【図２】
0004672651.tif 000003
【図３】
0004672651.tif 000004
【図４】
0004672651.tif 000005
【図５】
0004672651.tif 000006
【図６】
0004672651.tif 000007
【図７】
0004672651.tif 000008
【図８】
0004672651.tif 000009
【図９】
0004672651.tif 000010